(57)【要約】【課題】  例えば、シャワーエリア側からトイレエリア側へ流れ込む水を確実に遮断でき、また、シャワーカーテンの「あおり」を防ぐことのできるユニットルームの床構造を提供する。【解決手段】  一方の空間６ａと他方の空間６ｂの床面境界部に排水溝７を形成し、この排水溝７に覆設される蓋部材８には、起立可能な水返し片９を設けて構成する。【選択図】  図１
2005068833.tif 000002
【特許請求の範囲】
【請求項１】
一方の空間と他方の空間の床面境界部に、起立可能な水返し片を設けたことを特徴とするユニットルームの床構造。
【請求項２】
前記水返し片の位置の下方の床面には、該水返し片で堰き止めた水を排水するための溝が形成されていることを特徴とする請求項１に記載のユニットルームの床構造。
【請求項３】
一方の空間と他方の空間の床面境界部に排水溝を形成し、該排水溝には、横倒し又は上下反転させることで一方の空間から他方の空間への水の流れを遮断できる蓋部材を設置したことを特徴とするユニットルームの床構造。
【請求項４】
一方の空間と他方の空間の床面境界部に排水溝を形成し、該排水溝には、水を堰き止めることのできる水返し片部を備えた蓋部材と、水返し片部を有しない蓋部材を取り替えて設置できるように構成したことを特徴とするユニットルームの床構造。
【発明の詳細な説明】
【技術分野】
【０００１】
本発明は、ユニットルームにおける床構造に関するものである。
【背景技術】
【０００２】
従来、図１２に示すようなユニットルーム１においては、シャワー装置２を備えたシャワーエリア３と、便器４を備えたトイレエリア５が内部に設けられており、シャワーエリア３でシャワーを使用する際に、水がトイレエリア５側へ流れ出ると、トイレエリア５の床面が濡れてしまうため、シャワーエリア３の床面を一段低く落し込んで形成させることが知られているが、シャワーエリア３の床面をトイレエリア５の床面よりも低くすると、段差が生じ、特に病院や福祉施設向けのユニットルーム１として用いる場合には、内部で車椅子での移動ができなくなってしまう。
【０００３】
そのため、シャワーエリア３とトイレエリア５の床面を、車椅子でも移動できるようにフラットな面にするために、シャワーエリア３とトイレエリア５の床面境界部に排水溝７を形成させ、この排水溝７には蓋体８を覆設して、蓋体８の面が床面と面一となるように設定したものが存在する。
【特許文献１】特開２０００−３３６９５５号公報
【発明の開示】
【発明が解決しようとする課題】
【０００４】
排水溝を設けて段差を無くした構造であっても、段差付きの仕様に比べると、シャワーエリア３からトイレエリア５に向かう水の流れ込みを抑制する能力は劣っており、更にシャワーカーテン１１の「あおり」を抑えることはできないものであった。
【課題を解決するための手段】
【０００５】
本発明は上記従来の問題点に鑑み案出したものであって、水の流れ込みを良好に遮断し、また、シャワーカーテンの「あおり」を良好に抑えることのできるユニットルームの床構造を提供せんとするものであり、請求項１は、一方の空間と他方の空間の床面境界部に、起立可能な水返し片を設けたことである。
【０００６】
また、請求項２は、前記水返し片の位置の下方の床面には、該水返し片で堰き止めた水を排水するための溝が形成されていることである。
【０００７】
また、請求項３は、一方の空間と他方の空間の床面境界部に排水溝を形成し、該排水溝には、横倒し又は上下反転させることで一方の空間から他方の空間への水の流れを遮断できる蓋部材を設置したことである。
【０００８】
また、請求項４は、一方の空間と他方の空間の床面境界部に排水溝を形成し、該排水溝には、水を堰き止めることのできる水返し片部を備えた蓋部材と、水返し片部を有しない蓋部材を取り替えて設置できるように構成したことである。
【発明の効果】
【０００９】
一方の空間と他方の空間の床面境界部に、起立可能な水返し片を設けたことにより、水返し片を畳んで床面を段差のない面一面として、車椅子でも移動することができ、また、水返し片を立てた状態では、一方の空間から他方の空間へ流れ込む水を良好に遮断することができ、またシャワーカーテンの「あおり」を抑えることができるものとなる。
【００１０】
また、水返し片の下方位置には、水返し片で堰き止めた水を排水するための溝が形成されていることにより、一方の空間側から流れ込む水を水返し片で遮断して、良好に溝に排水することができるものとなる。
【００１１】
また、一方の空間と他方の空間の床面境界部に排水溝を形成し、排水溝には、横倒し又は上下反転させることで一方の空間から他方の空間への水の流れを遮断できる蓋部材を設置したことにより、排水溝に対し蓋部材を横倒し、面一状に被せることで、床面をフラットな面とすることができ、また、排水溝に対し蓋部材を反転させて、例えば起立させることで、一方の空間側から流れ込む水を良好に蓋部材で遮断することができ、また、シャワーカーテンの「あおり」を抑えることができるものとなる。
【００１２】
また、一方の空間と他方の空間の床面境界部に排水溝を形成し、排水溝には、水を堰き止めることのできる水返し片部を備えた蓋部材と、水返し片部を有しない蓋部材を取り替えて設置できるように構成したことにより、通常は、排水溝内に床面がフラットとなる水返し片部を有しない蓋部材を設置しておき、一方の空間でシャワー等を行う際には、水返し片部を備えた蓋部材に取り替えて排水溝に設置することで、一方の空間側から他方の空間へ流れ込む水を水返し片部で良好に遮断することができ、またシャワーカーテンの「あおり」も抑えることができるものとなる。
【実施例】
【００１３】
以下、本発明の実施例を図面に基づいて説明する。
図１は、前述したユニットルームの底面を構成する床パンの斜視構成図である。
床パン６には、シャワーエリア３側のシャワーエリア床面６ａと、トイレエリア５側のトイレエリア床面６ｂが形成されており、その両床面６ａ，６ｂの境界部には、凹み状に排水溝７が一体形成されて、排水溝７の底側には、トラップに通じる排水口７ａが開口されている。
この排水溝７には、下側が開放された断面コの字状の蓋部材８を嵌め込むことができ、蓋部材８は、図１では、３個に分割されたものが用いられているが、連続したものであっても良い。
図１では、３個に分割された各蓋部材８の上面に、開閉可能に水返し片９が設けられている。
【００１４】
図２の断面拡大構成図で示すように、通常は、水返し片９は蓋部材８の上面に重ね合わされて水平の状態となっており、この状態で、水返し片９の上面と、シャワーエリアの床面６ａと、トイレエリアの床面６ｂが面一状を成すように設定されており、車椅子でも良好に移動できるように構成されている。
【００１５】
この水返し片９は、蓋部材８に対し軸１０を介し開閉可能であり、図５の斜視図で示すような構造となっており、図３のように水返し片９を起立させた時には、水返し片９が床面６ａ，６ｂから５０mm〜６０mm程度の高さに立ち上がるように設定されている。
図３のように水返し片９を起立させた状態では、シャワーエリア３内でシャワーを使用し、水が床面６ａからトイレエリアの床面６ｂ側へ流れ込もうとしても、水返し片９で良好に遮断されることとなり、トイレエリアの床面６ｂが濡れることが防がれるものである。
また、水返し片９で遮断された水は、良好に排水溝７内に流れ込んで排水口７ａから排水されるものである。
【００１６】
また、図４に示すように、シャワーカーテン１１の下端側が水返し片９に当接して、シャワーカーテン１１の下端側のトイレエリア床面６ｂ側への「あおり」が良好に抑えられて、水のしぶきがトイレエリア５側へ飛び散ることが良好に防がれるものである。
【００１７】
なお、図６で示すように、水返し片９にストッパー９ａを設けておき、また、蓋部材８には、このストッパー９ａが回動できるように湾曲部８ａを形成させておき、この湾曲部８ａの上端に突出状に突出片８ｄを形成させておけば、良好に水返し片９を起立状態に維持できるものとなる。
【００１８】
なお、排水溝７には、蓋部材８が載る溝段部７ａを上面側に形成させておき、図６のように、水返し片９が水平状態に閉じられた状態から、図７のように、水返し片９を起立させた状態では、突出片８ｄ上にストッパー９ａが当接して、良好に水返し片９が起立状態に維持されるものである。
【００１９】
次に、図８は変更例を示すものであり、図８の断面図で示すように、排水溝７には、上面側に溝段部７ａを形成させておき、また、排水溝７の底側の一部には、更に深く凹ませて嵌合溝７ｂを形成させておき、通常は、蓋部材８を溝段部７ａ上に嵌め込んで、床面６ａ，６ｂと蓋部材８を面一状態にしておき、シャワーエリア３側でシャワーを行う際には、蓋部材８を９０°回転させて、嵌合溝７ｂ内に蓋部材８を差し込んで、蓋部材８を起立させることができ、この蓋部材８の起立状態では、蓋部材８が水返し片の役目を成して、シャワーエリア側から流れ込む水を良好に遮断して排水溝７内に排水できるものとなる。
【００２０】
更に、図９および図１０では、断面Ｔ字状の蓋部材８を用い、排水溝７には、その上面に溝段部７ａを形成させておき、通常は、図９のように、蓋部材８の本体部８ｂを床面６ａ，６ｂと面一状にしておくことができ、シャワーエリア内でシャワーを使用する際には、蓋部材８を１８０°回転させて、図１０のように、本体部８ｂから直角に起立された水返し片部８ｃを上向きにして、この水返し片部８ｃで、シャワーエリア３側からの水を良好に遮断して排水溝７内に排水することができるものとなる。
【００２１】
なお、更には、図１１の斜視図で示すような、下側が開放された断面コの字状の蓋部材８の上面に、起立状に一体化させて水返し片部８ｃを備えたものを用意しておき、シャワー装置を使用しない時には、水返し片部８ｃを有しない蓋部材８を面一状に排水溝７に設置しておき、シャワーエリア３内でシャワー装置２を使用する際には、図１１のような水返し片部８ｃを備えた蓋部材８に取り替え、排水溝７に設置して、水返し片部８ｃで良好にシャワーエリア３側からの水を遮断できるように構成することもできる。
【図面の簡単な説明】
【００２２】
【図１】床パンの溝内に、水返し片を備えた蓋部材を覆設する前の分解斜視図である。
【図２】水返し片を畳んだ状態で、溝内に蓋部材を設置した状態の縦断面拡大構成図である。
【図３】水返し片を起立させた状態の縦断面拡大構成図である。
【図４】起立させた水返し片で、シャワーカーテンの「あおり」を防いでいる状態の縦断面拡大構成図である。
【図５】水返し片を備えた蓋部材の斜視構成図である。
【図６】ストッパーを備えた水返し片と蓋部材の設置状態の縦断面拡大構成図である。
【図７】図６の水返し片を起立させた状態の縦断面拡大構成図である。
【図８】９０°回転させることで、水返し片の役目を果たすことのできる蓋部材の覆設状態の断面拡大構成図である。
【図９】Ｔ字状断面の蓋部材の覆設状態の断面拡大構成図である。
【図１０】図９の蓋部材を１８０°回転させて水返し片部を起立させた状態の断面拡大構成図である。
【図１１】別に用意された水返し片部を一体化した蓋部材の斜視構成図である。
【図１２】ユニットルームの構成図である。
【符号の説明】
【００２３】
１  ユニットルーム
２  シャワー装置
３  シャワーエリア
４  便器
５  トイレエリア
６  床パン
６ａ  シャワーエリア側床面
６ｂ  トイレエリア側床面
７  排水溝
７ａ  溝段部
７ｂ  嵌合溝
８  蓋体
８ａ  湾曲部
８ｂ  本体部
８ｃ  水返し片部
８ｄ  突出片
９  水返し片
９ａ  ストッパー
１０  軸
【図１】
2005068833.tif 000003
【図２】
2005068833.tif 000004
【図３】
2005068833.tif 000005
【図４】
2005068833.tif 000006
【図５】
2005068833.tif 000007
【図６】
2005068833.tif 000008
【図７】
2005068833.tif 000009
【図８】
2005068833.tif 000010
【図９】
2005068833.tif 000011
【図１０】
2005068833.tif 000012
【図１１】
2005068833.tif 000013
【図１２】
2005068833.tif 000014